(57)【特許請求の範囲】
【請求項１】
摂餌物質と殺虫用物質とを含む摂餌殺虫剤を取付けて、ゴキブリを呼び込んで駆除するようにしたゴキブリ用疑似巣容器であって、
ゴキブリの体高と同じかそれより低い高さで立ち上がって疑似巣エリアを形成する囲い壁と、この囲い壁に形成されて前記ゴキブリが入る入口と、前記囲い壁の上端に形成されて前記疑似巣エリアの全体を覆う天井部と、この天井部の一部に形成されて、前記摂餌殺虫剤を内側に取付けるための取付部とを備え、
かつ、前記囲い壁の下縁を、床または防汚材に向けて開口させたことを特徴とするゴキブリ用疑似巣容器。
【請求項２】
前記取付部を、前記疑似巣エリアの全体を覆う天井部の一部を上方に膨出させることにより形成したことを特徴とする請求項１に記載のゴキブリ用疑似巣容器。
【請求項３】
前記取付部の立ち上がり部に係合部を形成して、前記摂餌殺虫剤の嵌合取付けが行えるようにしたことを特徴とする請求項１または請求項２に記載のゴキブリ用疑似巣容器。
【請求項４】
前記天井部の一部を下方へ膨出させて低天井部としたことを特徴とする請求項１〜請求項３のいずれかに記載のゴキブリ用疑似巣容器。
【発明の詳細な説明】
【０００１】
【産業上の利用分野】
本発明は、ゴキブリの住みかとなる疑似巣容器に関し、特に、これに取付けられる摂餌殺虫剤によってゴキブリを呼び込み、その中にゴキブリの住みかを形成するようにした疑似巣容器に関するものである。
【０００２】
【従来の技術】
繁殖力の非常に強い衛生害虫であるゴキブリを駆除するための薬品や器具は種々なものが提案されており、食べて巣に戻ったゴキブリが死ぬようにした薬品、あるいは箱の中の接着剤によってゴキブリを箱内に捕獲するようにした器具がよく知られている。しかしながら、巣に戻ってから死ぬようにした薬品では、その致死量分を十分食べてくれる保証はなく、接着剤で捕獲する器具では、中をのぞかないと効果の程が不明である。
【０００３】
このため、出願人は、特開２０００−３１６４５０号公報にて提案している「ゴキブリ用疑似巣容器」によって、上記薬品や器具の不具合を解消するようにしている。このゴキブリ用疑似巣容器は、図７にも示したように、２枚の合成樹脂シートによって疑似巣エリアを形成するようにしたものであり、ゴキブリの巣を摂餌物質（エサ）と殺虫用物質（殺虫剤）からなる摂餌殺虫剤の周囲に形成するようにしたものである。
【０００４】
この図７に示した従来のゴキブリ用疑似巣容器は、その疑似巣エリア内にゴキブリが安心して住み込むとともに、摂餌殺虫剤を十分食べることになるものである。
【０００５】
しかしながら、この図７に示したゴキブリ用疑似巣容器は、２枚の合成樹脂シートを使用して疑似巣エリアを形成するようにしているため、まず製造コストがかかるものであり、疑似巣エリア内の様子が外からは全く見えないため効果の程も不明となる。
【０００６】
そこで、本発明者は、この種の疑似巣容器について、もっと簡単に製造することができて、効果もはっきりわかるようにするにはどうしたらよいか、について種々検討を重ねてきた結果、本発明を完成したのである。
【０００７】
【発明が解決しようとする課題】
本発明は、以上のような経緯の下になされたもので、その解決しようとする課題は、ゴキブリの駆除を明瞭にかつ効果的に行えるようにすることである。
【０００８】
すなわち、まず請求項１に係る発明の目的とするところは、合成樹脂シート等のシート材料の一枚から製造することができて、ゴキブリＣが他に移動せずに留まるので摂餌殺虫剤を十分食べることになる疑似巣エリアＡを形成することができ、結果的に製造が容易でゴキブリＣの駆除を確実に行うことのできるゴキブリ用疑似巣容器１０を提供することにある。
【０００９】
また、請求項２に係る発明の目的とするところは、請求項１の発明と同様な目的を達成できる他、摂餌殺虫剤２０を床面上から浮かせた状態で取付けることができるようにして、摂餌殺虫剤２０の水濡れ防止を確実に行えるようにしたゴキブリ用疑似巣容器１０を提供することにある。
【００１０】
さらに、請求項３に係る発明の目的とするところは、請求項１または請求項２の発明と同様な目的を達成できる他、摂餌殺虫剤２０の取付けは勿論、その交換をも簡単に行えるようにしたゴキブリ用疑似巣容器１０を提供することにある。
【００１１】
そして、請求項４に係る発明の目的とするところは、上記請求項１〜３の発明と同様な目的を達成することができる他、さらに、種類の異なるゴキブリＣの駆除を確実に行えるようにしたゴキブリ用疑似巣容器１０を提供することにある。
【００１２】
【課題を解決するための手段】
以上の課題を解決するために、まず請求項１に係る発明の採った手段は、後述する実施の形態の説明中において使用する符号を付して説明すると、
「摂餌物質と殺虫用物質とを含む摂餌殺虫剤２０を取付けて、ゴキブリＣを呼び込んで駆除するようにしたゴキブリ用疑似巣容器１０であって、
ゴキブリＣの体高と同じかそれより低い高さで立ち上がって疑似巣エリアＡを形成する囲い壁１１と、この囲い壁１１に形成されてゴキブリＣが入る入口１２と、囲い壁１１の上端に形成されて疑似巣エリアＡの全体を覆う天井部１３と、この天井部１３の一部に形成されて、摂餌殺虫剤２０を内側に取付けるための取付部１４とを備え、
かつ、囲い壁１１の下縁を、床３０または防汚材３１に向けて開口させたことを特徴とするゴキブリ用疑似巣容器１０」
である。
【００１３】
すなわち、このゴキブリ用疑似巣容器１０は、たとえば合成樹脂シートを真空または圧空成形することにより、図１及び図４に示すように、下方が開口するとともに、直径が８０〜９０ｍｍ程度の円盤状の一枚物として形成したものであり、囲い壁１１と天井部１３により疑似巣エリアＡを形成するとともに、囲い壁１１に形成した入口１２からゴキブリＣが入り得るようにしたものである。
【００１４】
勿論、このゴキブリ用疑似巣容器１０は、紙によっても形成できるものではあるが、いずれにしても、図７に示した従来のもののような二枚物ではなく一枚物となっているため、製造が非常に簡単になっていて、低コストが図られているものである。
【００１５】
また、このゴキブリ用疑似巣容器１０は、図１にも示すように、その天井部１３の一部に取付部１４を形成したものであり、この取付部１４には、摂餌物質と殺虫用物質とからなる摂餌殺虫剤２０を収納した容器２１が内側から取付けられるものである。この摂餌殺虫剤２０の取付けは、その容器２１を接着剤によって取付部１４の内面に接着してもよいが、後述する請求項３のゴキブリ用疑似巣容器１０のように、嵌合固定するようにしてもよい。
【００１６】
以上のように構成したゴキブリ用疑似巣容器１０は、図４にも示すように、下方が開口したものとなっているから、これを持ってひっくり返せば摂餌殺虫剤２０を収納した容器２１の取付けあるいは交換が簡単に行えるものとなっている。摂餌殺虫剤２０を取付部１４の内面に取付けたゴキブリ用疑似巣容器１０は、図３に示すようにして、床３０上に載置すれば、疑似巣エリアＡはゴキブリＣが好む暗所となるのであり、摂餌殺虫剤２０によってゴキブリＣを呼び込むものとなるのである。
【００１７】
また、このゴキブリ用疑似巣容器１０は、図５にも示すように、摂餌殺虫剤２０を収納した容器２１の裏面に接着材（例えば両面テープ）２３を貼付しておけば、図３に示したような床３０上載置タイプではなく、図６に示すように、壁３２と家具３３との隙間内に設置するものとすることができるものである。
【００１８】
摂餌殺虫剤２０を取付けた当該ゴキブリ用疑似巣容器１０を図３に示すようにセットすれば、各入口１２から摂餌殺虫剤２０中の臭いが洩れ出てゴキブリＣを誘い込むのであり、ゴキブリＣは図２に示すように疑似巣エリアＡ内に入り込む。この疑似巣エリアＡ内は暗くなっているとともに、天井部１３が覆い被さっているから、ゴキブリＣの好む場所となるのであり、しかも摂餌殺虫剤２０の存在によってゴキブリＣは他に移動することがない。つまり、この疑似巣エリアＡ内は、文字通り、ゴキブリＣの「巣」となるのである。
【００１９】
疑似巣エリアＡ内に入り込んだゴキブリＣは、容器２１の窓２２から露出している摂餌殺虫剤２０を食べるのであるが、当該疑似巣エリアＡを住みかとしているゴキブリＣは、十分な摂餌殺虫剤２０を食べるまで、つまり苦しくなって水を求めて外に出るまで移動することがない。十分な摂餌殺虫剤２０を食べたゴキブリＣは、この疑似巣エリアＡを出てすぐ死ぬことになる。
【００２０】
ゴキブリＣがどれだけ集まってきた、つまり当該ゴキブリ用疑似巣容器１０及びその設置場所が十分なものであるか否かは、当該ゴキブリ用疑似巣容器１０を持ち上げれば確実に確認できる。当該ゴキブリ用疑似巣容器１０の下方は開放されているため、集まってきているゴキブリＣは、床３０上、または床３０上に敷いた新聞紙等の防汚材３１上に住み込んだまま残っているからである。
【００２１】
なお、当該ゴキブリ用疑似巣容器１０は、床３０上にそのまま設置してもよいが、図３に示すように、床３０上に敷いた防汚材３１上に設置するようにすれば、この防汚材３１を除去することで死んだゴキブリＣの処理を衛生的に行える。また、この防汚材３１に、ゴキブリＣの集合フェロモンが浸み付くことにより、ゴキブリＣの誘い込みをより効果的に行えることにもなる。
【００２２】
従って、この請求項１に係るゴキブリ用疑似巣容器１０は、下方に開口する一枚物として形成できるから、構造が非常に簡単になっており、従来品に比して安価に製造できるだけでなく、摂餌殺虫剤２０の交換も簡単に行えて繰り返し使用もできるものとなっているのである。勿論、ゴキブリＣの駆除を効果的に行えるのである。
【００２３】
上記課題を解決するために、請求項２に係る発明の採った手段は、上記請求項１のゴキブリ用疑似巣容器１０について、
「取付部１４を、疑似巣エリアＡの全体を覆う天井部１３の一部を上方に膨出させることにより形成したこと」
である。
【００２４】
すなわち、この請求項２に係るゴキブリ用疑似巣容器１０は、図１にも示すように、その天井部１３の一部を上方に膨出させることにより形成した取付部１４を有したものであり、この取付部１４には、摂餌物質と殺虫用物質とからなる摂餌殺虫剤２０を収納した容器２１が内側から取付けられるものである。この取付けは、容器２１を接着剤によって取付部１４の内面に接着してもよいが、後述する請求項３のゴキブリ用疑似巣容器１０のように、嵌合固定するようにしてもよい。
【００２５】
この取付部１４は、天井部１３の上面から約２０ｍｍ前後で上方に突出し、直径が約４０ｍｍ程度のものであり、これをつまむことにより、当該ゴキブリ用疑似巣容器１０の取扱いを簡単に行えるようにしているものである。また、この取付部１４の内面には、図３にも示すように、摂餌殺虫剤２０の容器２１が取付けられるが、この取付部１４が上方に突出したものとしてあることから、図３及び図５に示すように、摂餌殺虫剤２０の容器２１を、床３０上から少し浮き上がらせることになるのである。このため、この取付部１４に取り付けられた容器２１内の摂餌殺虫剤２０には、床３０上にこぼれた水が浸入することがなくなるのであり、水を含むと効果が薄れる摂餌殺虫剤２０の保護を、膨出形成した当該取付部１４は行っているのである。
【００２６】
従って、この請求項２に係るゴキブリ用疑似巣容器１０は、請求項１のそれと同様な機能を発揮する他、摂餌殺虫剤２０を床面３０上から浮かせた状態で取付けることができて、摂餌殺虫剤２０の水濡れ防止を確実に行えるのである。
【００２７】
上記課題を解決するために、請求項３に係る発明の採った手段は、上記請求項１または２のゴキブリ用疑似巣容器１０について、
「取付部１４の立ち上がり部に係合部１４ａを形成して、摂餌殺虫剤２０の嵌合取付けが行えるようにしたこと」
である。
【００２８】
すなわち、この請求項３のゴキブリ用疑似巣容器１０は、図１及び図４に示すように、膨出させて形成した取付部１４の立ち上がり部に係合部１４ａを形成したものでありこの係合部１４ａによって、図３に示すように、摂餌殺虫剤２０を収納した容器２１の嵌合取付けが行えるようにしたものである。このような係合部１４ａは、当該ゴキブリ用疑似巣容器１０を合成樹脂シートで成形するのであれば、所謂「アンダーカット部」とすればよいものであり、単に内側に突出する係止片としてもよいものである。
【００２９】
このような係合部１４ａがあれば、これに摂餌殺虫剤２０の容器２１を強制的に嵌め込むことにより、図３に示すような取付けが簡単に行えるだけでなく、その取外しも行えることから、摂餌殺虫剤２０の交換も簡単に行えることになる。
【００３０】
上記課題を解決するために、請求項４に係る発明の採った手段は、上記請求項１〜３のいずれかのゴキブリ用疑似巣容器１０について、
「天井部１３の一部を下方へ膨出させて低天井部１３ａとしたこと」
である。
【００３１】
すなわち、この請求項４のゴキブリ用疑似巣容器１０は、図１及び図４に示すように、天井部１３の一部を図示下方に膨出させることにより形成した低天井部１３ａを有したものである。
【００３２】
ゴキブリＣは、種類を問わず、背と腹の両方が接触するような隙間を好むものであり、隙間の大きさに合ったすみ分けを行っている。換言すれば、小型であるチャバネゴキブリとこれより大きいクロゴキブリとでは住む場所が異なることになるのであるが、この請求項４のゴキブリ用疑似巣容器１０は、天井部１３下の疑似巣エリアＡにはクロゴキブリが入り込み、各低天井部１３ａ下の疑似巣エリアＡにはチャバネゴキブリが入り込むということになるのである。
【００３３】
従って、この請求項４のゴキブリ用疑似巣容器１０は、一つのもので種類の異なるゴキブリＣの駆除を同時に行えるのである。
【００３４】
【実施の形態】
次に、上記のように構成した各請求項に係る発明を、図面に示した実施の形態であるゴキブリ用疑似巣容器１０について説明するが、この実施形態に係るゴキブリ用疑似巣容器１０は、上記請求項に係る発明の全てを実質的に内包するものである。
【００３５】
図１には、本発明に係るゴキブリ用疑似巣容器１０の斜視図が示してあり、このゴキブリ用疑似巣容器１０に対しては、図１中に示した容器２１が内面側に取付けられるものである。この容器２１内には、ゴキブリＣのエサとなる摂餌物質と、ゴキブリＣを殺すための殺虫剤物質とを含んだ摂餌殺虫剤２０が収納されるものであり、この摂餌殺虫剤２０の一部は、図１等に示したように、容器２１に予め形成した窓２２から露出し得るようにしたものである。なお、この容器２１は、出願人の特許第１３４４３７３号に係るものであり、その中の摂餌殺虫剤２０は、乾燥して硬化させた所謂「ゴキブリダンゴ」である。
【００３６】
さて、ゴキブリ用疑似巣容器１０であるが、本実施形態では、厚さ０．４ｍｍのポリプロピレンシートを使用して真空または圧空成形したものであり、下縁の最大直径を８０〜９０ｍｍ程度とした円盤状のものである。このゴキブリ用疑似巣容器１０は、図３及び図４に示したように、下方が開口することになるものであり、要するに一枚物である。
【００３７】
そして、このゴキブリ用疑似巣容器１０は、図１〜図５に示したように、ゴキブリＣの体高と同じかそれより低い高さで立ち上がって疑似巣エリアＡを形成する囲い壁１１と、この囲い壁１１に形成されてゴキブリＣが入る入口１２と、囲い壁１１の上端に形成されて疑似巣エリアＡの全体を覆う天井部１３と、この天井部１３の一部を上方に膨出させることにより形成されて、摂餌殺虫剤２０を内側に取付けるための取付部１４とを備えたものである。
【００３８】
本実施形態における囲い壁１１は、約９ｍｍ程度の高さで立ち上がるものであり、これに形成した入口１２の下端は約１８ｍｍの広さを有している。つまり、当該ゴキブリ用疑似巣容器１０を床３０上や、その上に敷いた新聞紙等の防汚材３１上に設置したとき、疑似巣エリアＡを覆っている天井部１３の高さが、クロゴキブリの体型に合わせた約９ｍｍとなるようにしてある。そして、この囲い壁１１は、その下縁を、床３０または防汚材３１に向けて開口させたものである。
【００３９】
また、この天井部１３の中央から上方に膨出している取付部１４は、高さが約１９ｍｍ程度で、直径が約３８ｍｍ程度のものであり、これを手指で掴み易い大きさのものとしてある。そして、この取付部１４の立ち上がり部には、図１及び図４に示したように、アンダーカット部とした係合部１４ａが複数形成してあるのであり、これら係合部１４ａに摂餌殺虫剤２０を収納している容器２１の上端を、図３に示したように、係合できるようにしてある。
【００４０】
さらに、天井部１３の取付部１４以外の部分には、この天井部１３を下方に膨出させて形成した低天井部１３ａがあり、この低天井部１３ａによって、疑似巣エリアＡの天井の一部が低くなるようにしてある。要するに、各低天井部１３ａの下側が、比較的小型のゴキブリＣであるチャバネゴキブリの住みかとなるのである。
【００４１】
摂餌殺虫剤２０を収納している容器２１を取付けたゴキブリ用疑似巣容器１０は、図３に示したように、床３０上、またはその上に敷いた防汚材３１上に載置することにより、疑似巣エリアＡがゴキブリＣが好む暗所となるのであり、容器２１の窓２２から露出している摂餌殺虫剤２０によって、囲い壁１１に形成してある各入口１２から、図２に示したように、ゴキブリＣが誘い込まれることになるのである。そして、ゴキブリＣは、この疑似巣エリアＡ内を住みかとするとともに、当該疑似巣エリアＡ内で摂餌殺虫剤２０を致死量に至るまで十分食することになる。
【００４２】
ゴキブリＣの状態を知るには、ゴキブリ用疑似巣容器１０の取付部１４をつまんで持ち上げればよい。一度置いた床３０または防汚材３１は、ゴキブリＣの集合フェロチンが浸み込んでいるため、そのまま利用するとより効果的となる。なお、摂餌殺虫剤２０は前述した通り、必要に応じて交換すればよい。
【００４３】
【発明の効果】
以上、詳述した通り、まず請求項１に係る発明においては、上記実施形態にて例示した如く、
「摂餌物質と殺虫用物質とを含む摂餌殺虫剤２０を取付けて、ゴキブリＣを呼び込んで駆除するようにしたゴキブリ用疑似巣容器１０であって、
ゴキブリＣの体高と同じかそれより低い高さで立ち上がって疑似巣エリアＡを形成する囲い壁１１と、この囲い壁１１に形成されてゴキブリＣが入る入口１２と、囲い壁１１の上端に形成されて疑似巣エリアＡの全体を覆う天井部１３と、この天井部１３の一部
に形成されて、摂餌殺虫剤２０を内側に取付けるための取付部１４とを備え、
かつ、囲い壁１１の下縁を、床３０または防汚材３１に向けて開口させたこと」
にその構成上の特徴があり、これにより、合成樹脂シート等のシート材料の一枚から製造することができて、ゴキブリＣが他に移動せずに留まる疑似巣エリアＡを形成することができ、結果的に製造が容易でゴキブリＣの駆除を確実に行うことのできるゴキブリ用疑似巣容器１０を提供することができるのである。
また、このゴキブリ用疑似巣容器１０によれば、下方が開口したものとなっているから、これを持ってひっくり返せば摂餌殺虫剤２０を収納した容器２１の取付けあるいは交換が簡単に行えるだけでなく、ゴキブリＣがどれだけ集まってきたか、つまり当該ゴキブリ用疑似巣容器１０及びその設置場所が十分なものであるか否かを、簡単かつ確実に確認できる。
さらに、このゴキブリ用疑似巣容器１０によれば、ゴキブリＣのいることが簡単に確認できるものであることによって、ゴキブリＣが致死量の摂餌殺虫剤２０を食べていることの確認もできる。
そして、当該ゴキブリ用疑似巣容器１０の下方は開放されているため、集まってきているゴキブリＣは、床３０上、または床３０上に敷いた新聞紙等の防汚材３１上に住み込んだまま残り、床３０や防汚材３１にゴキブリＣの集合フェロモンを浸み付かせることになり、他のゴキブリＣの誘い込みをより効果的に行えるのである。
【００４４】
また、請求項２に係るゴキブリ用疑似巣容器１０は、上記請求項１のゴキブリ用疑似巣容器１０について、
「取付部１４を、疑似巣エリアＡの全体を覆う天井部１３の一部を上方に膨出させることにより形成したこと」
にその構成上の特徴があり、これにより、請求項１のゴキブリ用疑似巣容器１０と同様な効果を発揮する他、摂餌殺虫剤２０を床面３０上から浮かせた状態で取付けることができて、摂餌殺虫剤２０の水濡れ防止を確実に行うことができるのである。
【００４５】
さらに、請求項３に係るゴキブリ用疑似巣容器１０は、上記請求項１または２のゴキブリ用疑似巣容器１０について、
「取付部１４の立ち上がり部に係合部１４ａを形成して、摂餌殺虫剤２０の嵌合取付けが行えるようにしたこと」
にその構成上の特徴があり、これにより、請求項１または２のゴキブリ用疑似巣容器１０と同様な効果を発揮する他、摂餌殺虫剤２０の取付けは勿論、その交換をも簡単に行えるようにしたゴキブリ用疑似巣容器１０を提供することができる。
【００４６】
さらに、請求項４に係るゴキブリ用疑似巣容器１０は、前述した通りのものであるから、請求項１〜請求項３のゴキブリ用疑似巣容器１０と同様な効果を発揮する他、種類の異なるゴキブリＣの駆除を確実に行えるようにしたゴキブリ用疑似巣容器１０を提供することができるのである。
【図面の簡単な説明】
【図１】本発明に係るゴキブリ用疑似巣容器に摂餌殺虫剤の容器を取付けようとしている斜視図である。
【図２】同ゴキブリ用疑似巣容器中にゴキブリＣが入り込もうととしている様子を示した斜視図である。
【図３】同ゴキブリ用疑似巣容器を設置したときの縦断面図である。
【図４】同ゴキブリ用疑似巣容器そのものの縦断面図である。
【図５】同ゴキブリ用疑似巣容器に取付けられるべき摂餌殺虫剤及びその容器を示す正面図である。
【図６】同ゴキブリ用疑似巣容器を壁と家具との隙間に設置した状態を示す縦断面図である。
【図７】従来の技術を示す斜視図である。
【符号の説明】
１０    ゴキブリ用疑似巣容器
１１    囲い壁
１２    入口
１３      天井部
１３ａ  低天井部
１４      取付部
１４ａ  係合部
２０    摂餌殺虫剤
２１    容器
２２    窓
２３    接着材
３０    床
３１      防汚材
３２    壁
３３    家具
Ａ      疑似巣エリア
Ｃ            ゴキブリ
【図１】
0003600913.tif 000002
【図２】
0003600913.tif 000003
【図３】
0003600913.tif 000004
【図４】
0003600913.tif 000005
【図５】
0003600913.tif 000006
【図６】
0003600913.tif 000007
【図７】
0003600913.tif 000008